(57)【要約】【課題】粘度復元性を有するシャワーフィルター用ゲル組成物、シャワーゲルフィルターの製造方法およびシャワーフィルターを提供する。【解決手段】本発明のシャワーフィルター用ゲル組成物は、デキストリン、香料、水及び水溶性セルロースエーテルを含んでなるもので、水中に含有された残留塩素及び有害物質を除去するためのビタミンＣ、及び使用者が香料の種類を視覚的に確認することができるようにするための食用色素をさらに含んでもよい。【選択図】なし【特許請求の範囲】
【請求項１】
デキストリン１００重量部と、
香料５〜４５重量部と、
水５〜５０重量部と、
水溶性セルロースエーテル０．１〜２０重量部と、
を含む、シャワーフィルター用ゲル組成物。
【請求項２】
ビタミンＣ又はその誘導体１５〜７０重量部をさらに含むことを特徴とする、請求項１に記載のシャワーフィルター用ゲル組成物。
【請求項３】
前記ビタミンＣの誘導体が、アスコルビン酸ナトリウム（Ｓｏｄｉｕｍ  Ａｓｃｏｒｂａｔｅ）、アスコルビン酸マグネシウム（Ｍａｇｎｅｓｉｕｍ  Ａｓｃｏｒｂａｔｅ）、リン酸アスコルビルナトリウム（Ｓｏｄｉｕｍ  ａｓｃｏｒｂｙｌ  ｐｈｏｓｐｈａｔｅ）、リン酸アスコルビルマグネシウム（Ｍａｇｎｅｓｉｕｍ  ａｓｃｏｒｂｙｌ  ｐｈｏｓｐｈａｔｅ）、リン酸アスコルビルカルシウム（Ｃａｌｃｉｕｍ  ａｓｃｏｒｂｙｌ  ｐｈｏｓｐｈａｔｅ）、酢酸アスコルビル（Ａｓｃｒｏｂｙｌ  ａｃｅｔａｔｅ）、プロピオン酸アスコルビル（Ａｓｃｏｒｂｙｌ  ｐｒｏｐｉｏｎａｔｅ）、ステアリン酸アスコルビル（Ａｓｃｏｒｂｙｌ  ｓｔｅａｒａｔｅ）、パルミチン酸アスコルビル（Ａｓｃｏｒｂｙｌ  ｐａｌｍｉｔａｔｅ）、ジパルミチン酸アスコルビル（Ａｓｃｏｒｂｙｌ  ｄｉｐａｌｍｉｔａｔｅ）、アスコルビルグルコシド（Ａｓｃｏｒｂｙｌ  ｇｌｕｃｏｓｉｄｅ）、アスコルビン酸ポリペプチド（Ａｓｃｏｒｂｉｃ  ａｃｉｄ  ｐｏｌｙｐｅｐｔｉｄｅ）、エチルアスコルビルエーテル（Ｅｔｈｙｌ  ａｓｃｏｒｂｙｌ  ｅｔｈｅｒ）、及びアスコルビルエチルシラノールペクチネート（Ａｓｃｏｒｂｙｌ  ｅｔｈｙｌ  ｓｉｌａｎｏｌ  ｐｅｃｔｉｎａｔｅ）よりなる群から選ばれることを特徴とする、請求項２に記載のシャワーフィルター用ゲル組成物。
【請求項４】
前記デキストリンが、３〜２５の平均重合度（ＤＰ）を有することを特徴とする、請求項１に記載のシャワーフィルター用ゲル組成物。
【請求項５】
食用色素０．１〜１０重量部をさらに含むことを特徴とする、請求項１に記載のシャワーフィルター用ゲル組成物。
【請求項６】
前記食用色素が、赤色第２号、赤色第２号アルミニウムレーキ、赤色第３号、赤色第４０号、赤色４０号アルミニウムレーキ、黄色第４号、黄色第４号アルミニウムレーキ、黄色第５号、黄色第５号アルミニウムレーキ、緑色第３号、緑色第３号アルミニウムレーキ、青色第１号、青色第１号アルミニウムレーキ、青色第２号及び青色第２号アルミニウムレーキよりなる群から選ばれることを特徴とする、請求項５に記載のシャワーフィルター用ゲル組成物。
【請求項７】
前記水溶性セルロースエーテルが、メチルセルロース、ヒドロキシプロピルメチルセルロース又はヒドロキシエチルメチルセルロースであることを特徴とする、請求項１に記載のシャワーフィルター用ゲル組成物。
【請求項８】
前記香料は、水溶性又は脂溶性アロマ香料であって、レモン、ラベンダー、ジャスミン、松、ローズマリー、ローズ、ユーカリ及びイランイランよりなる群から選ばれる少なくとも１種であることを特徴とする、請求項１に記載のシャワーフィルター用ゲル組成物。
【請求項９】
デキストリン１００重量部、香料５〜４５重量部、水５〜５０重量部及び水溶性セルロースエーテル０．１〜２０重量部を２５〜４５℃で攪拌させる段階と、
前記攪拌された内容物をポリプロピレン（ＰＰ）又はポリエチレン（ＰＥ）容器に充填する段階と、
前記内容物を１５〜３０℃で３〜１０時間硬化させる段階と、
を含む、シャワーゲルフィルターの製造方法。
【請求項１０】
前記攪拌段階で、ビタミンＣ又はその誘導体１５〜７０重量部、及び食用色素０．１〜１０重量部をさらに含むことを特徴とする、請求項９に記載の製造方法。
【請求項１１】
デキストリン１００重量部、香料５〜４５重量部、水５〜５０重量部、水溶性セルロースエーテル０．１〜２０重量部、ビタミンＣ又はその誘導体１５〜７０重量部、及び食用色素０．１〜１０重量部の混合物がポリプロピレン（ＰＰ）又はポリエチレン（ＰＥ）溶液に充填されてなる、シャワーフィルター。
【発明の詳細な説明】
【技術分野】
【０００１】
本発明は、粘度復元性を有するシャワーフィルター用ゲル組成物、シャワーゲルフィルターの製造方法およびシャワーフィルターに関し、さらに詳しくは、デキストリン、香料、水及び水溶性セルロースエーテルを含んでなるもので、水中に含有された残留塩素及び有害物質を除去するためのビタミンＣ、及び使用者が香料の種類を視覚的に確認することができるようにするための食用色素をさらに含んでもよいシャワーフィルター用ゲル組成物に関する。
【背景技術】
【０００２】
韓国の水道水は次亜塩素酸ナトリウムを用いて塩素殺菌を施している。すなわち、浄水場で１次塩素処理を介して殺菌と共に有機化合物の除去を行い、家庭に給水する直前にさらに２次塩素を投与して残留塩素を保持することにより、水媒介性病原菌からの疾病を予防する。
【０００３】
ところが、塩素は、ハロゲン元素の一つであって、酸化剤、漂白剤、消毒剤などの用途として使われる有毒性物質であり、水道水中の塩素も有機化合物と反応して有機塩素化合物（環境ホルモン）を生成して健康又は環境に良くない影響を与え、特に人体の皮膚を構成する皮膚タンパク質と反応して破壊することにより、肌のキメを粗くし、皮膚老化又は各種皮膚トラブルの原因になることもある。
【０００４】
一方、家庭や大衆浴場などで使われているシャワーは、水道栓にホースを連結して水道水を噴水の如く噴出させるのに用いられるものである。このようなシャワーは、通常、ホース連結口を有する把持部と、多数の噴出孔を有するシャワーヘッド部とを含んでなる。また、シャワーから放出される水道水には、浄水場に投入された塩素成分が完全に除去されずに残留するので、水道水をそのまま飲用すると、水道水特有の嫌な臭いと人体に有害な塩素成分が人体内に吸収されるしかない。
【０００５】
また、塩素は、皮膚と同様に、毛髪のタンパク質を破壊し、髪の毛をパサつかせ、頭皮の健康を阻害して脱毛を引き起こすうえ、アトピー性皮膚炎を悪化させる原因となるなどの問題点が多かった。
【０００６】
それにも拘らず、塩素成分のために浄水器の水を使用することは非経済的なので、これについての対策が要求されてきた。
【０００７】
したがって、水道水の残留塩素は、子供又は皮膚の弱い者には皮膚炎を引き起こす原因として作用し、これを暖めて使用するときに発生する蒸気に含まれた塩素成分が気管支又は肺の弱い者には相当有害であるうえ、髪の毛の細胞を損傷させるなど、その被害は多いといえる。
【発明の概要】
【発明が解決しようとする課題】
【０００８】
本発明の目的は、デキストリン、香料、水及び水溶性セルロースエーテルを含んでなる、粘度復元性を有するシャワーフィルター用ゲル組成物を提供することにある。
【０００９】
本発明の他の目的は、シャワーゲルフィルターの製造方法を提供する。
【００１０】
本発明の別の目的は、シャワーフィルターを提供することにある。
【課題を解決するための手段】
【００１１】
本発明は、粘度復元性を有するシャワーフィルター用ゲル組成物、シャワーゲルフィルターの製造方法およびシャワーフィルターに関する。さらに詳しくは、本発明のシャワーフィルター用ゲル組成物は、デキストリン、香料、水及び水溶性セルロースエーテルを含んでなるもので、水中に含有された残留塩素及び有害物質を除去するためにビタミンＣをさらに含んでもよく、使用者が香料の種類を視覚的に確認することができるようにするために食用色素をさらに含んでもよい。
【００１２】
本発明のシャワーフィルター用ゲル組成物は、デキストリン１００重量部、香料５〜４５重量部、水５〜５０重量部及び水溶性セルロースエーテル０．１〜２０重量部を含む。水中に含有された残留塩素及び有害物質を除去するためにビタミンＣ又はその誘導体をさらに含んでもよく、使用者が香料の種類を視覚的に確認することができるようにするために食用色素をさらに含んでもよい。
【００１３】
前記デキストリンは、澱粉を加水分解するときにその中間過程で発生し、グルコースが重合された物質を示すもので、香料を込めている袋の役割、及びさらに含まれるビタミンＣ又はその誘導体成分が変形しないように十分に覆うものの役割をしており、フィルターの内容物が容易に固化しないようにしながら、水が浸透する場合に香料及びビタミンＣ又はその誘導体成分が徐々に溶ける性質を示す。このようなデキストリンは、３〜２５の平均重合度（ＤＰ）を有するもので、マルトデキストリン、シクロデキストリン、アミロデキストリン及びα−又はβ−限界デキストリンの中から選ばれるいずれか一つからなる。前記デキストリンの平均重合度が２５超過であれば、デキストリンがあまり過度に溶解し、目的とする徐放性効果を示すことができず、前記デキストリンの平均重合度が３未満であれば、デキストリンの溶解があまり遅くて香料又はビタミンＣ又はその誘導体の放出を適時に行うことができないという欠点がある。
【００１４】
前記香料は、前記デキストリン１００重量部に対して５〜４５重量部、好ましくは５〜３５重量部で含有される、水溶性又は脂溶性アロマ香料であって、オイル状又は粉末状の形で使用可能である。具体的な例としてはレモン、ラベンダー、ジャスミン、松、ローズマリー、ローズ、ユーカリ又はイランイランなどがあり、これらは単独で或いは２つ以上を組み合わせて使用してもよい。また、前記香料は、単独でシャワーフィルター用ゲル組成物の構成成分として使用してもよく、デキストリンに添加して使用してもよい。好ましくは、水の浸透を遅めながら、デキストリンの担体の役割を長時間持続するように脂溶性の香料を使用することがよい。
【００１５】
前記水溶性セルロースエーテルは、前記デキストリン１００重量部に対して０．１〜２０重量部で含有され、温度によってフィルターの内容物の溶解度を調節するための目的で使用される。すなわち、冷水ではフィルターの内容物を容易に溶解させ、温水ではゆっくり溶解させる。また、一定の時間になるまで内容物が固化しない性質を持っている。その結果、温度が４０℃以上に増加すると、フィルターの内容物の粘度が急激に低下してゲル化が行われる。一方、温度が１５℃以下に減少すると、フィルターの内容物が元来溶液状態に戻ってくる。言い換えれば、フィルターの内容物が粘度復元性を有する。前記水溶性セルロースエーテルは、メチルセルロース、ヒドロキシプロピルメチルセルロース及びヒドロキシエチルメチルセルロースから選択されることが良い。さらに好ましくは、デキストリン１００重量部に対して０．１〜５重量部の水溶性セルロースエーテルを使用する。
【００１６】
前記水は、本発明のシャワーフィルター用組成物を「ゲル」状に製造するために、前記デキストリン１００重量部に対して５〜５０重量部で使用される。水が５重量部未満で使用されると、水の使用量が少ないためゲル化が行われず、攪拌が難しくなる。また、水が５０重量部超過で使用されると、水の使用量があまり多いためフィルターの構成成分が溶けやすくて寿命が急激に低下する問題点がある。さらに好ましくは、デキストリン１００重量部に対して５〜３５重量部の水を使用する。
【００１７】
本発明のシャワーフィルター用ゲル組成物は、前記デキストリン１００重量部に対してビタミンＣ又はその誘導体１５〜７０重量部をさら含んでもよく、好ましくは２０〜６０重量部をさらに含んでもよい。ビタミンＣ又はその誘導体は、水道水中に多量含まれている残留塩素を除去し、ビタミンＣ特有の酸性がそのまま維持されるので、弱酸性の殺菌効果を示す。前記ビタミンＣの誘導体としては、特に限定されることなくいずれも使用できるが、特に、アスコルビン酸ナトリウム（Ｓｏｄｉｕｍ  Ａｓｃｏｒｂａｔｅ）、アスコルビン酸マグネシウム（Ｍａｇｎｅｓｉｕｍ  Ａｓｃｏｒｂａｔｅ）、リン酸アスコルビルナトリウム（Ｓｏｄｉｕｍ  ａｓｃｏｒｂｙｌ  ｐｈｏｓｐｈａｔｅ）、リン酸アスコルビルマグネシウム（Ｍａｇｎｅｓｉｕｍ  ａｓｃｏｒｂｙｌ  ｐｈｏｓｐｈａｔｅ）、リン酸アスコルビルカルシウム（Ｃａｌｃｉｕｍ  ａｓｃｏｒｂｙｌ  ｐｈｏｓｐｈａｔｅ）、酢酸アスコルビル（Ａｓｃｒｏｂｙｌ  ａｃｅｔａｔｅ）、プロピオン酸アスコルビル（Ａｓｃｏｒｂｙｌ  ｐｒｏｐｉｏｎａｔｅ）、ステアリン酸アスコルビル（Ａｓｃｏｒｂｙｌ  ｓｔｅａｒａｔｅ）、パルミチン酸アスコルビル（Ａｓｃｏｒｂｙｌ  ｐａｌｍｉｔａｔｅ）、ジパルミチン酸アスコルビル（Ａｓｃｏｒｂｙｌ  ｄｉｐａｌｍｉｔａｔｅ）、アスコルビルグルコシド（Ａｓｃｏｒｂｙｌ  ｇｌｕｃｏｓｉｄｅ）、アスコルビン酸ポリペプチド（Ａｓｃｏｒｂｉｃ  ａｃｉｄ  ｐｏｌｙｐｅｐｔｉｄｅ）、エチルアスコルビルエーテル（Ｅｔｈｙｌ  ａｓｃｏｒｂｙｌ  ｅｔｈｅｒ）、又はアスコルビルエチルシラノールペクチネート（Ａｓｃｏｒｂｙｌ  ｅｔｈｙｌ  ｓｉｌａｎｏｌ  ｐｅｃｔｉｎａｔｅ）を使用することが好ましい。
【００１８】
また、本発明のシャワーフィルター用ゲル組成物は、使用者が香料の種類を視覚的に確認することができるようにするために、前記デキストリン１００重量部に対して食用色素０．１〜１０重量部、好ましくは０．１〜５重量部をさらに含んでもよい。前記食用色素は、蛍光と直射光線によく適応することが可能な色素であって、具体的な例としては、赤色第２号、赤色第２号アルミニウムレーキ、赤色第３号、赤色第４０号、赤色４０号アルミニウムレーキ、黄色第４号、黄色第４号アルミニウムレーキ、黄色第５号、黄色第５号アルミニウムレーキ、緑色第３号、緑色第３号アルミニウムレーキ、青色第１号、青色第１号アルミニウムレーキ、青色第２号及び青色第２号アルミニウムレーキよりなる群から選ばれる少なくとも一つを使用することができる。
【００１９】
本発明のシャワーゲルフィルターは、下記の段階で製造される。すなわち、デキストリン１００重量部、香料５〜４５重量部、水５〜５０重量部及び水溶性セルロースエーテル０．１〜２０重量部を２５〜４５℃で攪拌させる段階、前記攪拌された内容物をポリプロピレン（ＰＰ）又はポリエチレン（ＰＥ）容器に充填する段階、及び前記内容物を１５〜３０℃で３〜１０時間硬化させる段階である。
【００２０】
前記内容物を攪拌するとき、ビタミンＣ又はその誘導体１５〜７０重量部、及び食用色素０．１〜１０重量部をさらに含んでもよい。また、前記攪拌が２５〜４５℃から外れる温度範囲で行われると、粘度が高くなって作業性が低下する。ポリプロピレン（ＰＰ）又はポリエチレン（ＰＥ）容器以外の他のプラスチック容器を使用する場合、劣化して壊れ易いという問題がある。前記硬化の際に内容物が入っているまま容器が傾けると、気泡が発生して商品性が低下する。
【発明の効果】
【００２１】
本発明に係るシャワーフィルター用ゲル組成物は、使用者の好みによる多様な香料、デキストリン、水および水溶性セルロースエーテルを含んでなる。このシャワーフィルター用ゲル組成物は、水中に含有された残留塩素及び有害物質を除去するためにビタミンＣをさらに含んでもよく、使用者が香料の種類を視覚的に確認することができるようにするために食用色素をさらに含んでもよい。本発明の組成物の構成成分であるデキストリンにより、シャワーフィルターを通過した水に持続的に特有の香料を与えてアロマセラピー効果を発現させることができる。そして、本発明に係るシャワーフィルター用ゲル組成物は、水溶性セルロースエーテルを含有することにより、一定の時間が経過するまで内容物が固化しないため、温度が増加すると、粘度が急激に低下してゲル化が行われるが、温度がさらに低くなると、元来溶液状態に戻ってくる、粘度復元性を有する。
【発明を実施するための形態】
【００２２】
以下、実施例によって本発明を詳細に説明する。ところが、これらの実施例は、説明することを目的とし、本発明の範囲に限定を加えるものではない。
【００２３】
［実施例］シャワーゲルフィルターの製造
デキストリン２５．９７ｇ、アロマ香料４．８７ｇ、メチルセルロース０．３６ｇ、ビタミンＣ１２．９８ｇ及び食用色素０．１４ｇを混合し、攪拌器に投入した後、水５．６８ｇを加え、攪拌器の内部温度３３℃を維持しながら２時間攪拌させた後、ゲル状に形成された内容物を透明ポリプロピレン（ＰＰ）及びポリエチレン（ＰＥ）容器に適量充填した。前記容器を２４℃で８時間硬化させてシャワーゲルフィルターを製造した。
【００２４】
2012532000.tif 000002
【００２５】
当業者は、前述の説明で開示された本発明の概念と特定の実施形態が、本発明と同じ目的を達成するために他の実施形態を修正或いは設計する基礎として直ちに利用されうることを理解するだろう。また、当業者は、このような同等の実施形態が、添付の請求項で説明された本発明の精神と範囲を逸脱しないことについても、理解するだろう。
【国際調査報告】
2012532000.tif 000003
2012532000.tif 000004